(57)【要約】【課題】丸棒によってハンドルと本体を保持する構成とし、その保持構成をハンドルの脚部幅の範囲内に収めることにより、操作部と吹出口を本体天面に広く確保できることを目的とする。【解決手段】シロッコファン８を備えた空調機器の本体１は、天面部２を前後に天面前部２ａと天面後部２ｂに区分けし、天面前部２ａには操作部３を設け、天面後部２ｂには吹出口６、風向ルーバー５、一対の支持壁１０およびハンドル４を設け、支持壁１０に設けた支持穴１０ａに貫通する丸棒１１を有し、ハンドル４は風向ルーバー５の両側に隣接する一対の脚部４ａと、この脚部４ａを一体に連結する握り部４ｃからなり、断面略コ字状をなす脚部４ａの内側に支持壁１０を収納するとともに、ハンドル４が丸棒１１に回動可能に軸支されることにより、使い勝手のよい空調機器の取手装置を提供できる。【選択図】図４
2008298305.tif 000002
【特許請求の範囲】
【請求項１】
送風手段を備えた空調機器本体と、この本体の天面部を前後に区分けして設けた天面前部および天面後部と、前記天面前部に設けた操作部と、前記天面後部に設けた吹出口、風向ルーバー、一対の支持壁およびハンドルと、前記支持壁に設けた支持穴に貫通する丸棒を有し、前記ハンドルは前記風向ルーバーの両側に隣接する一対の脚部と、この脚部を一体に連結する握り部からなり、前記脚部は断面略コ字状をなし、その内側に前記支持壁を収納するとともに、前記丸棒に回動可能に軸支されてなる空調機器の取手装置。
【請求項２】
合成樹脂製の本体に金属製の支持壁を設けてなる請求項１記載の空調機器の取手装置。
【請求項３】
ハンドルの脚部の内側に丸棒の先端が嵌入する凹部を形成してなる請求項１または２記載の空調機器の取手装置。
【請求項４】
丸棒の他端を外装部品で押さえ、前記丸棒の抜け防止としてなる請求項１〜３のいずれかに記載の空調機器の取手装置。
【請求項５】
丸棒の挿入を案内するガイド穴の入口に水平方向のガイドリブを設け、このガイドリブの先端と、支持壁および脚部に挿入された前記丸棒の他端とは、同一垂直面で上下に位置してなる請求項１〜４のいずれかに記載の空調機器の取手装置。
【請求項６】
脚部の中間の折り曲げ部に連接部を形成し、ハンドルを直立時に前記脚部を直線形状に変形可能とした請求項１〜５のいずれかに記載の空調機器の取手装置。
【請求項７】
支持壁に設けた支持穴を長円形状となし、ハンドルの回動時に丸棒が前記支持穴内を移動可能とした請求項１〜５のいずれかに記載の空調機器の取手装置。
【請求項８】
ハンドルの収納時に脚部の先端に摺接する押上げリブを本体の天面後部に設け、ハンドルの沈み込みを防止した請求項７記載の空調機器の取手装置。
【請求項９】
丸棒の断面形状を対向する円弧と対向する平行線で囲まれた略長円形状となし、支持壁に設けた支持穴を、両端の円形穴部を直線部で連結する略鉄アレイ形状となし、前記丸棒は前記支持穴の直線部を移動可能とするとともに、前記円形穴部で回動可能とした請求項１〜５のいずれかに記載の空調機器の取手装置。
【発明の詳細な説明】
【技術分野】
【０００１】
本発明は、除湿機などの空調機器の運搬時に使用される空調機器の取手装置に関する。
【背景技術】
【０００２】
従来、この種の空調機器の取手装置は、本体天面に設けた吹出口よりも、さらに後部側にハンドルを配置し、操作部を本体前面または傾斜面に設けて構成するものが知られている（例えば、特許文献１参照）。
【０００３】
以下、その空調機器の取手装置について図面を参照しながら説明する。
【０００４】
図９に示すように、本体１０１の天面に吹出口１０２が上方向から水平方向にかけて開口し、吹出口１０２の上部に風向ルーバー１０３が設けられている。また、ハンドル１０４は吹出口１０２よりも本体後部側に設けられ、回転軸部に設けられた鍵穴形状の溝を、本体１０１に設けられた丸軸にはめ込むことによって保持されている。操作部１０５は、本体天面が吹出口１０２とハンドル１０４で占められているため、本体前面の傾斜面に配置されている。
【特許文献１】特開２００２−２６７２０３号公報（図１、図６、図７、図８）
【発明の開示】
【発明が解決しようとする課題】
【０００５】
このような空調機器の取手装置では、ハンドルが回転することによって生じるデッドスペースが大きく、また、ハンドルと本体の接続部分のスペースが大きいため、ハンドルの近傍に操作部や吹出口を密着状態で配置できないという課題があり、ハンドルの回転範囲と保持構成の省スペース化を実現できる空調機器の取手装置が要求されている。
【０００６】
本発明は上記従来の課題を解決するものであり、丸棒によってハンドルと本体を保持する構成とし、その保持構成をハンドルの脚部幅の範囲内に収めることにより、操作部と吹出口を本体天面に広く確保できる空調機器の取手装置を提供することを目的としている。
【課題を解決するための手段】
【０００７】
本発明の空調機器の取手装置は上記目的を達成するために、送風手段を備えた空調機器本体と、この本体の天面部を前後に区分けして設けた天面前部および天面後部と、前記天面前部に設けた操作部と、前記天面後部に設けた吹出口、風向ルーバー、一対の支持壁およびハンドルと、前記支持壁に設けた支持穴に貫通する丸棒を有し、前記ハンドルは前記風向ルーバーの両側に隣接する一対の脚部と、この脚部を一体に連結する握り部からなり、前記脚部は断面略コ字状をなし、その内側に前記支持壁を収納するとともに、前記丸棒に回動可能に軸支されてなる構成としたものである。
【０００８】
また第２の課題解決手段は、合成樹脂製の本体に金属製の支持壁を設けてなる構成としたものである。
【０００９】
また第３の課題解決手段は、ハンドルの脚部の内側に丸棒の先端が嵌入する凹部を形成してなるものである。
【００１０】
また第４の課題解決手段は、丸棒の他端を外装部品で押さえ、前記丸棒の抜け防止としてなるものである。
【００１１】
また第５の課題解決手段は、丸棒の挿入を案内するガイド穴の入口に水平方向のガイドリブを設け、このガイドリブの先端と、支持壁および脚部に挿入された前記丸棒の他端とは、同一垂直面で上下に位置するとしたものである。
【００１２】
また第６の課題解決手段は、脚部の中間に設けた折り曲げ部に連接部を形成し、ハンドルを直立時に前記脚部を直線形状に変形可能としたものである。
【００１３】
また第７の課題解決手段は、支持壁に設けた支持穴を長円形状となし、ハンドルの回動時に丸棒が前記支持穴内を移動可能としたものである。
【００１４】
また第８の課題解決手段は、ハンドルの収納時に脚部の先端に摺接する押上げリブを本体の天面後部に設け、ハンドルの沈み込みを防止したものである。
【００１５】
また第９の課題解決手段は、丸棒の断面形状を対向する円弧と対向する平行線で囲まれた略長円形状となし、支持壁に設けた支持穴を、両端の円形穴部を直線部で連結する略鉄アレイ形状となし、前記丸棒は前記支持穴の直線部を移動可能とするとともに、前記円形穴部で回動可能としたものである。
【００１６】
これらの手段により、ハンドルの回転範囲と、ハンドルと本体の保持機構の省スペース化を実現し、操作部と吹出口を本体天面に広く確保できる空調機器の取手装置が得られる。
【発明の効果】
【００１７】
本発明によれば、ハンドルの支持穴をできるだけ本体天面方向および操作部方向に配置することができ、ハンドルを直立させる際の脚部先端の回転範囲を小さくして、脚部の先端側に位置する操作部をできるだけ広く確保することができ、また本体の支持壁を脚部の内側に設けることにより、脚部の幅の範囲内で本体天面に省スペースで設置でき、ハンドルと風向ルーバーを最小限の隙間で隣接させて、ハンドルに囲まれて配置される風向ルーバーの面積を広く確保することができ、吹出し空気の送風範囲を広げることができるとともに、天面部外観の見栄えを良くすることができる。
【００１８】
また、本体に固定される支持壁の強度を向上させることができ、また支持壁をハンドル下方に配置される部品と別部品にすることにより、ハンドル下方に配置される部品形状を簡略化できるとともに、製造段階の金型のスライドや食い切りによる不要な穴を廃止して、水や埃の本体内への侵入を防ぐことができる。
【００１９】
また、ハンドルの脚部壁面に設けた凹部に、丸棒の先端を嵌合させることにより、丸棒のスライド移動を防止でき、ハンドルの外側に丸棒のスライド防止用の壁を設ける必要がなく、部品構成を簡略化することができる。
【００２０】
また、丸棒挿入後に外装部品を丸棒の他端に当接させて装着することにより、丸棒のスライド防止機能を持たせることができ、スライド防止用の壁を別途設ける必要がなく、部品構成の簡略化と部品点数の削減を図ることができる。
【００２１】
また、ガイドリブにより丸棒がスムーズに軸穴の入口に導かれるとともに、丸棒が完全に挿入されていることが目視や触感により簡単に確認することができるため、丸棒の挿入作業性を向上することができる。
【００２２】
また、ハンドルを最大直立点まで持ち上げるときに、ハンドルの脚部に設けた折り曲げ部が直線状に伸びることにより、支持部の支持穴を中心とした脚部の回動角度を少なくすることができるとともに、脚部の中間に加わる応力集中を軽減して、強度を保つことができる。
【００２３】
また、ハンドルを直立させる途中で、丸棒がハンドルとともに支持壁の長円形状の軸穴をハンドル収納時の丸棒位置からハンドル直立時の丸棒位置までスライド移動させることにより、ハンドルの脚部が隣接する操作部へ侵入する範囲を減少させ、操作部を広く確保することができ、また脚部の先端部が本体天面に当接する範囲を減少させ、限られたスペースを有効利用することができる。
【００２４】
また、ハンドルを回転させるときに、この動きと連動して、脚部の先端が押し上げリブに接触しながら、丸棒をハンドル収納時の位置からハンドル直立時の位置までスライド移動することにより、ハンドルの握り部を持って回転させるだけで、回転軸となる丸棒が支持壁の長円形状の軸穴をスライド移動し、脚部先端の沈み込みを防止するとともに、ハンドルの脚部が隣接する操作部へ侵入する範囲を減少させ、操作部を広く確保することができる。
【００２５】
また、ハンドルの握り部を持って所定角度まで回転させると、略長円形状の丸棒を支持穴の直線部に沿ってスライド移動させることができ、両端の円形穴部でハンドルを直立位置または収納位置に回動させることができ、限られたスペース内でハンドルを直立または収納することができる。
【発明を実施するための最良の形態】
【００２６】
本発明の請求項１記載の発明は、送風手段を備えた空調機器本体と、この本体の天面部を前後に区分けして設けた天面前部および天面後部と、前記天面前部に設けた操作部と、前記天面後部に設けた吹出口、風向ルーバー、一対の支持壁およびハンドルと、前記支持壁に設けた支持穴に貫通する丸棒を有し、前記ハンドルは前記風向ルーバーの両側に隣接する一対の脚部と、この脚部を一体に連結する握り部からなり、前記脚部は断面略コ字状をなし、その内側に前記支持壁を収納するとともに、前記丸棒に回動可能に軸支されてなる構成としたものであり、ハンドルの支持穴をできるだけ本体天面方向および操作部方向に配置することができ、ハンドルを直立させる際の脚部先端の回転範囲を小さくして、脚部の先端側に位置する操作部をできるだけ広く確保することができ、また本体の支持壁を脚部の内側に設けることにより、脚部の幅の範囲内で本体天面に省スペースで設置でき、ハンドルと風向ルーバーを最小限の隙間で隣接させて、ハンドルに囲まれて配置される風向ルーバーの面積を広く確保することができ、吹出し空気の送風範囲を広げることができるという作用を有する。
【００２７】
また、合成樹脂製の本体に金属製の支持壁を設けたものであり、支持壁の強度を向上させることができるとともに、支持壁をハンドル下方に配置される部品と別部品にすることにより、ハンドル下方に配置される部品の形状を簡略化できるという作用を有する。
【００２８】
また、ハンドルの脚部の内側に丸棒の先端が嵌入する凹部を形成したものであり、丸棒のスライド移動を防止でき、ハンドルの外側に丸棒のスライド防止用の壁を設ける必要がなく、部品構成を簡略化することができるという作用を有する。
【００２９】
また、丸棒の他端を外装部品で押さえ、前記丸棒の抜け防止としたものであり、丸棒挿入後に装着する外装部品を利用して、スライド防止の機能を持たせることにより、丸棒の抜け止め防止用の壁を別途設ける必要がなく、部品構成を簡略化することができるという作用を有する。
【００３０】
また、丸棒の挿入を案内するガイド穴の入口に水平方向のガイドリブを設け、このガイドリブの先端と、支持壁および脚部に挿入された前記丸棒の他端とは、同一垂直面で上下に位置してなるものであり、ガイドリブにより丸棒がスムーズに軸穴の入口に導かれるとともに、丸棒が完全に挿入されていることが目視や触感により簡単に確認することができるという作用を有する。
【００３１】
また、脚部の中間に設けた折り曲げ部に連接部を形成し、ハンドルを直立時に前記脚部を直線形状に変形可能としたものであり、支持部の支持穴を中心とした脚部の回動角度を少なくすることができるとともに、脚部の中間に加わる応力集中を軽減して、強度を保つことができるという作用を有する。
【００３２】
また、支持壁に設けた支持穴を長円形状となし、ハンドルの回動時に丸棒が前記支持穴内を移動可能としたものであり、ハンドルの脚部が隣接する操作部へ侵入する範囲を減少させ、操作部を広く確保することができ、また脚部の先端部が本体天面に当接する範囲を減少できるという作用を有する。
【００３３】
また、ハンドルの収納時に脚部の先端に摺接する押上げリブを本体の天面後部に設け、ハンドルの沈み込みを防止したものであり、ハンドルの握り部を持ってハンドルを回転させる際、ハンドルの先端が押し上げリブに接触し始めると同時に、ハンドルを回転させる動きと連動して、自動的に丸棒がハンドル収納時の位置からハンドル直立時の位置までスライド移動させることができるため、特別な意識なく握り部を持ってハンドルを回転させるだけで、ハンドルの回転軸がスライド移動し、ハンドルの天面が隣接して配置される操作部へ侵入する範囲を減少させることができるという作用を有する。
【００３４】
また、丸棒の断面形状を対向する円弧と対向する平行線で囲まれた略長円形状となし、支持壁に設けた支持穴を、両端の円形穴部を直線部で連結する略鉄アレイ形状となし、前記丸棒は前記支持穴の直線部を移動可能とするとともに、前記円形穴部で回動可能としたものであり、ハンドルの握り部を持って所定角度まで回転させると、略長円形状の丸棒を支持穴の直線部に沿ってスライド移動させることができ、さらに両端の円形穴部でハンドルを直立位置または収納位置に回動させることができるという作用を有する。
【００３５】
以下、本発明の実施の形態について図面を参照しながら説明する。
【００３６】
（実施の形態１）
以下、実施の形態について説明する。
【００３７】
図１〜図８に示すように、冷房機能または除湿機能を備えた本体１の内部には送風手段としてシロッコファン８を設け、本体１の上部中央にシロッコファン８と連通する吹出口６を備えている。本体１の天面部２を平面形状として、天面部２の前後端はなだらかな曲面を設けて、本体１の前面部および後面部に繋がる外観形状をなしている。
【００３８】
天面部２は直線状の境界線７によって天面前部２ａと天面後部２ｂとに区分されている。天面前部２ａには操作部３を設け、また天面後部２ｂには吹出口６の上方位置に、吹出口６からの風向を変更する風向ルーバー５と、吹出口６および風向ルーバー５を囲むように配置される大型のハンドル４を設けている。さらに天面後部２ｂにはハンドル４を回動可能に支持する一対の支持壁１０を突設し、ハンドル４の脚部４ａの端部に設けた軸穴４ｄと支持壁１０の支持穴１０ａとを貫通する丸棒１１にて回動可能に連結している。
【００３９】
図２に示すように、ハンドル４は、脚部４ａの中間に折り曲げ部４ｂを備え、折り曲げ部４ｂは収納時には水平から下方に屈折した形状をなしており、本体１を運搬する際には、握り部４ｃを引き上げるように回動することにより、ハンドル４を本体１の天面部２の略中央に直立状態に維持でき、握り部４ｃを持って運搬できるものである。
【００４０】
なお、図６（ロ）に示すように、脚部４ａの折り曲げ部４ｂを直線形状に変形可能な連接部４ｆを設けることにより、ハンドル４を直立位置にしたとき、脚部４ａを直線形状に変形する構成としてもよいものである。
【００４１】
また、収納状態のハンドル４は、風向ルーバー５を包囲するとともに、吹出口６をも包囲しているので、風向ルーバー５の回動や風向変更に対して障害とならないよう配置されている。風向ルーバー５は駆動モーター９により水平状態と直立状態との間を回動可能に設けられ、上方向に開口する吹出口６からの吹出風を、上方向または水平方向に風向変更するものであり、駆動モーター９は、風向ルーバー５の直下で開口部の端部にあるモーター収納部９ａに設けられている。
【００４２】
また、図４および図５に示すように、支持壁１０の支持穴１０ａとハンドル４の軸穴４ｄを丸棒１１で貫通してハンドル４を保持するものであるが、支持壁１０はハンドル４の脚部４ａの内側に配置され、ハンドル４と本体１の脚部４ａは、ハンドル４の幅の範囲内で形成されている。
【００４３】
また、丸棒１１が挿入される最も手前側のガイド穴１２にはガイドリブ１２ａが突設し、ガイドリブ１２ａは丸棒１１の挿入口の下面を受けるように配置され、丸棒１１が完全に挿入されたときに、丸棒１１の突き出した端面と同一面となる寸法に設定されている。
【００４４】
また、図４に示すように、丸棒１１が支持壁１０の支持穴１０ａとハンドル４の軸穴４ｄに完全に挿入されたときに、丸棒１１の他端の抜け止めが必要となるが、外装部品１３を本体１の側方に装着したときに、外装部品１３に設けたリブ１３ａが丸棒１１の他端に密接して、丸棒１１の抜け止めとして機能するようになっている。
【００４５】
上記構成において、ハンドル４は本体１の天面部２に設けた支持壁１０に回動可能に支持されている。ハンドル４の脚部４ａは断面略コ字状をなし、その内側に支持壁１０を収納して、ハンドル４の脚部４ａの範囲内で回動機構を構成することにより、本体１の天面部２を前後に略２分割に区分した天面前部２ａに操作部３を、また天面後部２ｂにハンドル４と風向ルーバー５を、それぞれ密着状態で配置することが可能となる。したがって、操作部３と風向ルーバー５および吹出口６の領域を広く確保することができるとともに、外観の見栄えを良くすることができるものである。
【００４６】
また、支持壁１０を金属製の別部品とすることにより、ハンドル４と本体１の接続部分の強度アップを図ることができるので、ハンドル４の下方に配置される部品の形状を簡略化し、金型のスライドや食い切りによる穴を無くし、水や埃が本体内に侵入することを防ぐことができる。
【００４７】
また、図４および図５に示すように、挿入する丸棒１１の先端側をハンドル４の壁に設けた凹部４ｅに収納し、本体１の側方に装着する外装部品１３に設けたリブ１３ａで丸棒１１の他端を押さえることにより、抜け止めが可能となり、丸棒１１のスライド防止用の壁を別途設ける必要がなく、ハンドル４の本体１への保持構造を省スペース化できるとともに、簡略化することができる。
【００４８】
さらに、丸棒１１の挿入を案内するガイド穴１２の入口に水平方向のガイドリブ１２ａを設け、このガイドリブ１２ａの先端と、挿入されている丸棒１１の他端とは、同一垂直面で上下に位置しているので、ガイドリブ１２ａにより丸棒１１がスムーズにガイド穴１２の入口に導かれるとともに、丸棒１１が完全に挿入されていることが目視や触感により簡単に確認することができ、丸棒１１の挿入作業性を向上することができる。
【００４９】
また、図６（イ）に示すように、脚部４ａの中間に設けた折り曲げ部４ｂに連接部４ｆを形成し、ハンドル４を直立時に脚部４ａを直線形状に変形可能とした場合は、支持壁１０の支持穴１０ａを中心とした脚部４ａの回動角度を少なくすることができるとともに、脚部４ａの中間に加わる応力集中を軽減して、強度を保つことができる。さらに、ハンドル４が操作部３の方向へ侵入することがなく、操作部３の操作範囲を広げることができる。
【００５０】
なお、本実施の形態では、ハンドル４の脚部４ａに設けた軸穴４ｄに丸棒１１を挿入する構成としているが、ハンドル４の脚部４ａに円柱状の軸を設け、ハンドル４の両サイドに設けた軸穴に挿入する構成としてもよい。
【００５１】
（実施の形態２）
図７に示すように、支持壁１０の支持穴１０ａを、ハンドル４収納時の丸棒１１の中心とハンドル４直立時の丸棒１１の中心を２つの中心として形成した長円穴形状としている。
【００５２】
これにより、ハンドル４を回転させて持ち上げる途中で、丸棒１１がハンドル４収納時の位置から直立時の位置までをスライド移動させることができ、ハンドル４を直立させた時に折り曲げ部４ｂが操作部３へ侵入する領域を少なくし、操作部３の利用範囲を広げることができる。
【００５３】
さらに、ハンドル４の先端に位置する本体１の天面部２に押し上げリブ１５を形成し、ハンドル４の下方への回転に応じて、押し上げリブ１５に脚部４ａの先端が当接してハンドル４が持ち上がることにより、ハンドル４の沈み込みを防ぐとともに、スムーズに丸棒１１をスライド移動させることができる。
【００５４】
（実施の形態３）
図８に示すように、丸棒１１の断面形状を対向する円弧と対向する平行線で囲まれた略長円形状としている。支持壁１０に設けた支持穴１０ｂを、両端の円形穴部を直線部で連結する略鉄アレイ形状としている。丸棒１１は支持穴１０ｂの直線部を移動可能とするとともに、円形穴部１０ｃで回動可能としたものである。すなわち、ハンドル４の握り部４ｃを持って所定角度まで回転させると、略長円形状の丸棒１１の短径部分が支持穴１０ｂの直線部に沿ってスライド移動することができ、さらに両端の円形穴部１０ｃでハンドル４を直立位置または収納位置に回動させることができる。
【００５５】
このように、ハンドル４の握り部４ｃを持ってハンドル４を回転またはスライドさせるだけで、限られたスペース内でハンドル４を直立または収納することができる。
【００５６】
また、本体１の天面部２に設けた押し上げリブ１５により、ハンドル４の下方への回転に応じて、ハンドル４の沈み込みを防ぐことができる。
【産業上の利用可能性】
【００５７】
本発明は、本体天面のハンドルを簡易な構成で強固に形成できるものであり、除湿機、加湿器、空気清浄機、簡易型エアコンなどの持ち運びできる空調機器の用途に適用できる。
【図面の簡単な説明】
【００５８】
【図１】本発明の実施の形態１の一部破断の外観斜視図
【図２】同、風向ルーバーおよびハンドル収納状態を示す要部背面斜視図
【図３】同、風向ルーバーおよびハンドル直立状態を示す要部背面斜視図
【図４】同、ハンドルと本体の脚部構成を示す分解斜視図
【図５】同、ハンドルと本体の脚部構成を示す部分断面図
【図６】同、ハンドル部を示す図（（イ）ハンドル直立状態を示す概略断面図、（ロ）ハンドルを折り曲げ部で連接した場合のハンドル直立状態を示す断面図）
【図７】本発明の実施の形態２のハンドル部を示す図（（イ）ハンドル収納時の部分概略断面図、（ロ）ハンドル立設時の部分概略断面図）
【図８】本発明の実施の形態３のハンドル部を示す図（（イ）ハンドル収納時の部分概略断面図、（ロ）ハンドル立設時の部分概略断面図）
【図９】従来の空調機器の取手装置の概略断面図
【符号の説明】
【００５９】
１      本体
２      天面部
２ａ    天面前部
２ｂ    天面後部
３      操作部
４      ハンドル
４ａ    脚部
４ｂ    折り曲げ部
４ｃ    握り部
４ｄ    軸穴
４ｅ    凹部
４ｆ    連接部
５      風向ルーバー
６      吹出口
８      シロッコファン
９      駆動モーター
１０    支持壁
１０ａ  支持穴
１０ｂ  支持穴
１０ｃ  円形穴部
１１    丸棒
１２    ガイド穴
１２ａ  ガイドリブ
１３    外装部品
１５    押し上げリブ
【図１】
2008298305.tif 000003
【図２】
2008298305.tif 000004
【図３】
2008298305.tif 000005
【図４】
2008298305.tif 000006
【図５】
2008298305.tif 000007
【図６】
2008298305.tif 000008
【図７】
2008298305.tif 000009
【図８】
2008298305.tif 000010
【図９】
2008298305.tif 000011